(57)【要約】【課題】  比較的重い物品の荷積み、荷下ろしを別途の傾斜台を用意しなくても簡単に行える台車を提供する。【解決手段】  矩形の底面部材２と、この底面部材２上に立設した４枚の側面部材３〜６からなる台車１であり、１枚の側面部材３の下端部を底面部材２に設けた金具８に上下方向で回動可能に取り付け、隣り合う他の側面部材４、６から離して回動させて、荷積み、荷降ろし用の傾斜台として使用できるように構成する。側面部材３には、２枚の板材９、９を適宜間隔だけ離して設け、画像形成装置等の搭載物１０の荷積み、荷下ろし用のスロープを形成する。【選択図】        図１
2005088674.tif 000002
【特許請求の範囲】
【請求項１】
少なくとも底面部材と、該底面部材上に立設した複数の側面部材とからなる台車であって、前記側面部材の少なくとも一つの下端部を前記底面部材に上下方向で回動可能に取り付けて前記一つの側面部材を荷積み、荷降ろし用の傾斜台とし得るようにしてなることを特徴とする台車。
【請求項２】
少なくとも底面部材と、該底面部材上に立設した複数の側面部材とからなる台車であって、前記側面部材の少なくとも一つの両側縁下端部を隣り合う他の側面部材の側縁下端部に上下方向で回動可能に取り付けて前記一つの側面部材を荷積み、荷降ろし用の傾斜台とし得るようにしてなることを特徴とする台車。
【請求項３】
少なくとも底面部材と、該底面部材上に立設した複数の側面部材とからなる台車であって、前記側面部材の少なくとも一つを前記側面部材及び他の前記側面部材から取り外し可能とし、前記底面部材に、前記取り外し可能な側面部材の下端部を上下方向で回動可能に装着する取り付け部材を設け、前記一つの側面部材を荷積み、荷降ろし用の傾斜台とし得るようにしてなることを特徴とする台車。
【請求項４】
請求項１ないし３のいずれかの台車において、前記傾斜台とする側面部材に、荷積み、荷降ろし用のスロープ形成部材を設けてなることを特徴とする台車。
【請求項５】
請求項４の台車において、前記スロープ形成部材を、２枚平行にかつ前記側面部材材の上下方向に沿わせて設けてなることを特徴とする台車。
【請求項６】
請求項６の台車において、前記２枚のスロープ形成部材を所定の間隔だけ離して設けてなることを特徴とする台車。
【請求項７】
請求項４ないし６のいずれかの台車において、前記スロープ形成部材が板材であることを特徴とする台車。
【発明の詳細な説明】
【技術分野】
【０００１】
本発明は、複写機、ファクシミリ、プリンタ等の画像形成装置等の事務機のみならず、一般的な物品の保管、輸送、荷役に用い得る台車に関する。
【背景技術】
【０００２】
従来のコンテナは、例えば金属鋼板等からなる底板の四周にパイプフレーム状の側板を立設し、少なくとも１枚の側板を開閉可能とし、底板上に事務機器、一般物品等の保管、輸送、荷役対象になる物を搭載できるようにしたものが多く用いられている。側板にはパイプフレームでは無いものを用いたものなどもあるが、いずれにしても、底板に対して各側板を固定し、隣接する各側板同士を連結して所定の収容容積を確保している。また側板の側縁同士を、上下方向を軸にして回動可能に連結し、側板を折り畳んでコンパクト化できるようにしたものなども多い。
【特許文献１】特開2003−2326号公報
【発明の開示】
【発明が解決しようとする課題】
【０００３】
しかしながら、従来公知のこの種の台車においては、画像形成装置等の事務機のように比較的重い物品を荷積み、荷降ろしするときには、搭載しようとする物品を数人で持ち上げて積んだり、降ろしたりするか、別途に傾斜台を用意しておき、必要に応じてこれを使用して荷役作業をしたりするようにしていた。
【０００４】
そのため、作業者を数人用意するには人件費が掛かり、傾斜台を別途用意して持参する場合は取り扱いが面倒であるという問題があった。
【０００５】
本発明は、比較的重い物品の荷積み、荷下ろしを別途の傾斜台を用意しなくても簡単に行える台車を提供することを目的とする。
【課題を解決するための手段】
【０００６】
本発明の請求項１に係る台車は、少なくとも底面部材と、該底面部材上に立設した複数の側面部材とからなる台車であって、前記側面部材の少なくとも一つの下端部を前記底面部材に上下方向で回動可能に取り付けて前記一つの側面部材を荷積み、荷降ろし用の傾斜台とし得るようにしてなることを特徴とする。
【０００７】
同請求項２に係るものは、少なくとも底面部材と、該底面部材上に立設した複数の側面部材とからなる台車であって、前記側面部材の少なくとも一つの両側縁下端部を隣り合う他の側面部材の側縁下端部に上下方向で回動可能に取り付けて前記一つの側面部材を荷積み、荷降ろし用の傾斜台とし得るようにしてなることを特徴とする。
【０００８】
同請求項３に係るものは、少なくとも底面部材と、該底面部材上に立設した複数の側面部材とからなる台車であって、前記側面部材の少なくとも一つを前記側面部材及び他の前記側面部材から取り外し可能とし、前記底面部材に、前記取り外し可能な側面部材の下端部を上下方向で回動可能に装着する取り付け部材を設け、前記一つの側面部材を荷積み、荷降ろし用の傾斜台とし得るようにしてなることを特徴とする。
【０００９】
同請求項４に係るものは、請求項１ないし３のいずれかの台車において、前記傾斜台とする側面部材に、荷積み、荷降ろし用のスロープ形成部材を設けてなることを特徴とする。
【００１０】
同請求項５に係るものは、請求項４の台車において、前記スロープ形成部材を、２枚平行にかつ前記側面部材の上下方向に沿わせて設けてなることを特徴とする。
【００１１】
同請求項６に係るものは、請求項５の台車において、前記２枚のスロープ形成部材を所定の間隔だけ離して設けてなることを特徴とする。
【００１２】
同請求項７に係るものは、請求項４ないし６のいずれかの台車において、前記スロープ形成部材が板材であることを特徴とする。
【発明の効果】
【００１３】
本発明に係る台車は、１枚の側板を上下回動させるだけで容易に傾斜台を形作ることができ、荷役が低コストで容易に行えるという効果がある。
【発明を実施するための最良の形態】
【００１４】
以下本発明を実施するための最良の形態を、図に示す実施例を参照して説明する。
【実施例１】
【００１５】
図１は本発明に係る台車の一実施例を示す斜視図（Ａ）と、その荷役状態を示す斜視図（Ｂ）である。本実施例の台車１は、金属や木製で所要の強度を有し、矩形の底面部材２と、この底面部材２の四周に立設したパイプ材で作られた４枚の側面部材３〜６とからなり、底板部材２には移動用のキャスタ７が複数個設けてある。側面部材３ないし６は、搭載物１０に対して輸送中に掛かり得る水平衝撃から搭載物１０を保護するためのものである。４枚の底面部材２と側面部材３〜６の間の連結構造は、１枚の側面部材３を除いて図示を省略してあるが、例えば上部を連結ピンにより連結し、下部を底板２に固定する等の従来公知、周知の連結構造を採用すればよいものである。
【００１６】
また図示の例では備えていないが、本発明は天面部材を備えているものであっても良い。また搭載物１０は複写機としてあるが、もちろんその他の物品であっても良い。さらに底板部２とこれを囲む側面部材３〜６が形成する空間は、運搬、収納等の対象となる搭載物１０を収容するための所定の容積を有することはもちろんである。
【００１７】
１枚の側面部材３は、下端部を底面部材２の側縁に設けた一対の金具８、８へ単に嵌着してあり、側縁を図示せぬ連結構造により隣り合う側面部材４、６に着脱可能に取り付けてある。また側面部材３の内側（図１Ａのように組み立てた状態で、側面部材３〜６が形成する空間側をいう。）には、２枚の板材９、９が固定してある。
【００１８】
板材９には金属、木材等々種々の板状部材を採用できるが、荷積み、荷下ろし用のスロープを形成するものであるから、荷役対象物の重量に耐え得るものとすることが必要である。また図示の例では２枚の板材９、９を適宜間隔だけ水平方向で離して設けてある。この間隔は、搭載物１０が有する移動用のキャスタ１１が乗る間隔とすればよい。もちろん板材を１枚だけ使用しても良い。
【００１９】
なお搭載物１０は、各側面部材３〜６と、例えば４本のバックルつきベルト（図示せず）で底面部材２の中央部に位置するように固定してある。
【００２０】
図１（Ｂ）により本実施例の台車における荷積み、荷下ろしについて説明する。なお以下では搭載物１０を本実施例の台車１から降ろす作業について説明するが、荷積み作業はほぼその逆動作となるので説明を省略する。
【００２１】
まず図１（Ａ）の状態から側面部材３の隣り合う側面部材４、６との連結を外し、側面部材３を金具８、８を中心に下方へ回動させ、上端縁を着地させる。すると、側面部材３は図示のように傾斜面を形成し、荷役用の傾斜台として使用できる形態となる。そこで搭載物１０を側面部材３側へ移動させ、キャスタ１１を板材９、９上に載せ、斜め下方へと滑らせつつ降ろす。その後、側面部材３を持ち上げて上方へ回動させ、再び隣り合う側面部材４、６に連結させれば元の状態に復帰する。
【００２２】
なお、側面部材３を底面部材２ではなく、隣り合う側面部材４、６に回動可能に取り付けても良い。また回動可能に取り付けるのではなく、底面部材２や側面部材４、６から完全に取り外すことができるように構成しておき、底面部材２や側面部材４、６に取り外した側面部材３を図１（Ｂ）の状態で配置する金具等を設けるようにしても良い。さらには、１枚の側面部材だけでなく、他の側面部材についても同様に構成して、複数の側面部材を傾斜台に使用できる構成としても良い。
【図面の簡単な説明】
【００２３】
【図１】本発明に係る台車の一実施例を示す斜視図（Ａ）と、その荷役状態を示す斜視図（Ｂ）
【符号の説明】
【００２４】
１：台車
２：底面部材
３〜６：側面部材
７：キャスタ
８：金具
９：板材
１０：搭載物
１１：キャスタ
【図１】
2005088674.tif 000003